(57)【要約】      （修正有）【課題】錠剤取出し器具の利用者が器具を調整することなく、寸法や形状の異なるＰＴＰ包装された錠剤の取出しを容易にする錠剤取出し器具を提供すること。【解決手段】下錠剤誘導部２と上錠剤誘導部３で構成された錠剤挿入部１により、ＰＴＰ包装された錠剤を錠剤取出し部の上に誘導し、上下連結部によって上面板４の間隔と錠剤取出し部の間隔を、ＰＴＰ包装された錠剤の寸法や形状に応じて等しく開閉させ、ＰＴＰ包装された錠剤を固定する。これにより、ＰＴＰ包装体の錠剤が収容されている凸部を押下した力に対する抗力を、ＰＴＰ包装体に収容されている錠剤の周辺に効率よく発生させることができ、錠剤を押し潰すことなく、ＰＴＰ包装体の錠剤が収容されている凸部を押下する力を小さくし、容易にＰＴＰ包装された錠剤の取出しができるようにした。【選択図】図１
2011251097.tif 000002
【特許請求の範囲】
【請求項１】
前記の、ＰＴＰ包装された錠剤を誘導する下錠剤誘導部（２）と上錠剤誘導部（３）からなる錠剤挿入部（１）、錠剤を固定する上面板（４）と錠剤取出し部（６）、ＰＴＰ包装された錠剤の寸法や形状に応じて上面板（４）の間隔と錠剤取出し部（６）の間隔を調整する変形部（５）、上面板（４）と錠剤取出し部（６）を連結する上下連結部（７）によって、図１、図２、図３、図４、図５、図６、図７のように構成された錠剤取出し器具。
【請求項２】
前記の、下錠剤誘導部（２）と上錠剤誘導部（３）によって構成され、ＰＴＰ包装された錠剤を挿入する際に図４の縦方向と横方向に生じる、錠剤取出し部（６）とＰＴＰ包装された錠剤の位置のずれを修正し、ＰＴＰ包装された錠剤を錠剤取出し部（６）の上に誘導する機能を有することを特徴とする、請求項１に記載の錠剤取出し器具。
【請求項３】
前記の、錠剤取出し部（６）から錠剤挿入部（１）の始端に向け、図３のような下り勾配を有し、ＰＴＰ包装された錠剤を挿入する際に図４の縦方向に生じる、錠剤取出し部（６）とＰＴＰ包装された錠剤の位置のずれを修正し、ＰＴＰ包装された錠剤を錠剤取出し部（６）の上に誘導する機能を有することを特徴とする、請求項１に記載の錠剤取出し器具。
【請求項４】
前記の、錠剤取出し部（６）の上に位置する上面板（４）から錠剤挿入部（１）の始端に向け、図１のような外側に向けた傾斜を有し、ＰＴＰ包装された錠剤を挿入する際に図４の横方向に生じる、錠剤取出し部（６）とＰＴＰ包装された錠剤の位置のずれを修正し、ＰＴＰ包装された錠剤を錠剤取出し部（６）の上に誘導する機能、ＰＴＰ包装された錠剤の寸法や形状に応じて上面板（４）の間隔を押し広げる力を発生させる機能を有することを特徴とする、請求項１に記載の錠剤取出し器具。
【請求項５】
前記の、ＰＴＰ包装された錠剤を固定する機能の一部、変形部（５）によって生み出される上面板（４）の間隔を狭める力と、上錠剤誘導部（３）によって生じる上面板（４）の間隔を押し広げる力により図９のように開閉し、それらの力を上下連結部（７）に伝達する機能を有することを特徴とする、請求項１に記載の錠剤取出し器具。
【請求項６】
前記の、図１０で示すように、ＰＴＰ包装体を通過させられる構造を持ち、ＰＴＰ包装体の寸法に影響を受けにくい構造を有し、上面板（４）によって伝えられた力を錠剤取出し部（６）に伝違する機能、及び錠剤取出し部（６）によって伝達された力を上面板（４）に伝達する機能を有することを特徴とする、請求項１に記載の錠剤取出し器具。
【請求項７】
前記の、上下連結部（７）によって伝えられた力と、変形部（５）によって生み出される錠剤取出し部（６）の間隔を狭める力により、上面板（４）の間隔と同等の間隔に開閉する。これにより、ＰＴＰ包装された錠剤を固定する機能の一部、ＰＴＰ包装体の錠剤が収容されている凸部を押下した力に対する抗力をＰＴＰ包装体に収容されている錠剤の周辺に効率よく発生させる機能を有することを特徴とする、請求項１に記載の錠剤取出し器具。
【請求項８】
前記の、上面板（４）の間隔を狭める力と錠剤取出し部（６）の間隔を狭める力を発生させる機能を有することを特徴とする、請求項１に記載の錠剤取出し器具。
【発明の詳細な説明】
【技術分野】
【０００１】本発明は、ＰＴＰ包装された寸法や形状の異なる錠剤に対し、器具の形状が変化することにより、器具の利用者が器具を調整することなく、ＰＴＰ包装された寸法や形状の異なる錠剤を容易に取出すことができるようにしたものである。
【背景技術】
【０００２】従来は、器具の利用者が器具の調整をすることなく、ＰＴＰ包装された寸法や形状の異なる錠剤を容易に取出せる器具はなかった。
【先行技術文献】
【特許文献】
【０００３】
【特許文献１】特許公開２００６−２３０５００号公報
【特許文献１】実用新案公開平６−８３０２９号公報
【発明の概要】
【発明が解決しようとする課題】
【０００４】ＰＴＰ包装体並びにＰＴＰ包装された錠剤は、様々な寸法や形状のものが存在する。しかし、従来の錠剤取出し器具では、ＰＴＰ包装体から取出せる錠剤の種類は限定的である。本発明は、錠剤取出し器具の利用者が調整することなく、寸法や形状の異なるＰＴＰ包装された錠剤の取出しを容易にするためになされたものである。
【課題を解決するための手段】
【０００５】本発明の錠剤取出し器具は、ＰＴＰ包装された錠剤を誘導する下錠剤誘導部（２）と上錠剤誘導部（３）からなる錠剤挿入部（１）、錠剤を固定する上面板（４）と錠剤取出し部（６）、ＰＴＰ包装された錠剤の寸法や形状に応じて上面板（４）の間隔と錠剤取出し部（６）の間隔を調整する変形部（５）、上面板（４）と錠剤取出し部（６）を連結する上下連結部（７）によって構成される。
前記の構成を有する本発明の錠剤取出し器具は、錠剤挿入部（１）からＰＴＰ包装された錠剤を挿入する際、下錠剤誘導部（２）と上錠剤誘導部（３）により、ＰＴＰ包装された錠剤を錠剤取出し部（６）の上に誘導するとともに、上面板（４）に対し、ＰＴＰ包装された錠剤の寸法や形状に応じて、上面板（４）の間隔を押し広げる力を発生させる。ここで発生した上面板（４）の間隔を押し広げる力を、上下連結部（７）によって錠剤取出し部（６）に伝達し、変形部（５）を変形させ、錠剤取出し部（６）の間隔を上面板（４）の間隔と同等にすることで、錠剤取出し部（６）の上に誘導したＰＴＰ包装体の錠剤が収容されている凸部を指などで押下した際、ＰＴＰ包装体の錠剤が収容されている凸部を押下した力に対する抗力を、ＰＴＰ包装体に収容されている錠剤の周辺に効率よく発生させることができる。これにより、ＰＴＰ包装体に収容されている錠剤を押し潰すことなく、ＰＴＰ包装体の錠剤が収容されている凸部を押下する力を小さくし、容易にＰＴＰ包装された錠剤の取出しができるようにした。
【発明の効果】
【０００６】本発明の錠剤取出し器具は、本錠剤取出し器具の利用者が、錠剤挿入部（１）からＰＴＰ包装された錠剤を挿入し、ＰＴＰ包装された錠剤を錠剤取出し部（６）の上に設置した後、ＰＴＰ包装された錠剤の錠剤が収容されている凸部を押下して錠剤の取出しを行う。これらの一連の動作を変更することなく、寸法や形状の異なるＰＴＰ包装された錠剤の取出しを行えるため、錠剤取出し器具の利用者による調整の必要がなく、利便性が向上する。また、本錠剤取出し器具は単純な構造であり、目視や手等による触覚による確認も容易に行えるといった利便性も向上する。
【図面の簡単な説明】
【０００７】
【図１】本発明の平面図である。
【図２】本発明の図１に対する１８０°異なる位置での平面図である。
【図３】本発明の側面図である。
【図４】本発明の正面図である。
【図５】本発明の一部を示す縦断面図である。
【図６】本発明の一部を示す縦断面図である。
【図７】本発明の一部を示す縦断面図である。
【図８】ＰＴＰ包装体を示す平面図である。
【図９】本発明の使用状態を示す平面図である。
【図１０】本発明の使用状態を示す断面図である。
【発明を実施するための形態】
【０００８】以下、本発明の実施の形態について、図面を参照しつつ詳細に説明する。
本発明の錠剤取出し器具は、ＰＴＰ包装された錠剤を誘導する下錠剤誘導部（２）と上錠剤誘導部（３）からなる錠剤挿入部（１）、錠剤を固定する上面板（４）と錠剤取出し部（６）、ＰＴＰ包装された錠剤の寸法や形状に応じて上面板（４）の間隔と錠剤取出し部（６）の間隔を調整する変形部（５）、上面板（４）と錠剤取出し部（６）を連結する上下連結部（７）によって、図１、図２、図３、図４、図５、図６、図７のように構成される。
【０００９】錠剤挿入部（１）は、下錠剤誘導部（２）と上錠剤誘導部（３）によって構成され、ＰＴＰ包装された錠剤を挿入する際に図４の縦方向と横方向に生じる、錠剤取出し部（６）とＰＴＰ包装された錠剤の位置のずれを修正し、ＰＴＰ包装された錠剤を錠剤取出し部（６）の上に誘導する機能を有する。
【００１０】下錠剤誘導部（２）は、ＰＴＰ包装された錠剤を挿入する際に図４の縦方向に生じる、錠剤取出し部（６）とＰＴＰ包装された錠剤の位置のずれを修正し、ＰＴＰ包装された錠剤を錠剤取出し部（６）の上に誘導する機能を有する。そのため、下錠剤誘導部（２）は、錠剤取出し部（６）から錠剤挿入部（１）の始端に向け、図３のような下り勾配を有することが好ましい。
【００１１】上錠剤誘導部（３）は、ＰＴＰ包装された錠剤を挿入する際に図４の横方向に生じる、錠剤取出し部（６）とＰＴＰ包装された錠剤の位置のずれを修正し、ＰＴＰ包装された錠剤を錠剤取出し部（６）の上に誘導する機能を有する。また、ＰＴＰ包装された錠剤の寸法や形状に応じて上面板（４）の間隔を押し広げる力を発生させる機能を有する。そのため、上錠剤誘導部（３）は、錠剤取出し部（６）の上に位置する上面板（４）から錠剤挿入部（１）の始端に向け、図１のような外側に向けた傾斜を有することが好ましい。
【００１２】上面板（４）は、ＰＴＰ包装された錠剤を固定する機能の一部を有する。また、上面板（４）は、変形部（５）によって生み出される上面板（４）の間隔を狭める力と、上錠剤誘導部（３）によって生じる上面板（４）の間隔を押し広げる力により図９のように開閉し、それらの力を上下連結部（７）に伝達する機能を有する。
【００１３】上下連結部（７）は、上面板（４）によって伝えられた力を錠剤取出し部（６）に伝違する機能、及び錠剤取出し部（６）によって伝達された力を上面板（４）に伝違する機能を有する。また、上下連結部（７）は、図１０で示すように、ＰＴＰ包装体を通過させられる構造を持ち、ＰＴＰ包装体の寸法に影響を受けにくい構造を有することが好ましい。
【００１４】錠剤取出し部（６）は、上下連結部（７）によって伝えられた力と、変形部（５）によって生み出される錠剤取出し部（６）の間隔を狭める力により、上面板（４）の間隔と同等の間隔に開閉する。これにより、ＰＴＰ包装された錠剤を固定する機能の一部、ＰＴＰ包装体の錠剤が収容されている凸部を押下した力に対する抗力をＰＴＰ包装体に収容されている錠剤の周辺に効率よく発生させる機能を有する。
【００１５】変形部（５）は、上面板（４）の間隔を狭める力と錠剤取出し部（６）の間隔を狭める力を発生させる機能を有する。
【符号の説明】
【００１６】１  錠剤挿入部
２  下錠剤誘導部
３  上錠剤誘導部
４  上面板
５  変形部
６  錠剤取出し部
７  上下連結部
８  ＰＴＰ包装体断面
【図１】
2011251097.tif 000003
【図２】
2011251097.tif 000004
【図３】
2011251097.tif 000005
【図４】
2011251097.tif 000006
【図５】
2011251097.tif 000007
【図６】
2011251097.tif 000008
【図７】
2011251097.tif 000009
【図８】
2011251097.tif 000010
【図９】
2011251097.tif 000011
【図１０】
2011251097.tif 000012